【手続補正書】
【提出日】平成25年10月23日(2013.10.23)
【手続補正１】
【補正対象書類名】特許請求の範囲
【補正対象項目名】全文
【補正方法】変更
【補正の内容】
【特許請求の範囲】
【請求項１】
診断装置であって、
複数のアンテナであって、生体の胸部上の異なるそれぞれの場所に配置され、無線周波数（ＲＦ）電磁波を、異なるそれぞれの方向から身体内の心臓に向けて方向づけ、前記心臓から散乱される波に応答して、ＲＦ信号を出力するように構成されている複数のアンテナと、
処理回路と
を備え、
前記処理回路は、前記ＲＦ信号を経時的に処理し、前記心臓の運動の多次元測定を提供するように構成されている、装置。
【請求項２】
前記複数のアンテナは、少なくとも３つのアンテナを備え、前記それぞれの場所は、少なくとも部分的に、前記胸部を囲むように選択される、請求項１に記載の装置。
【請求項３】
各アンテナは、正面表面を有し、前記正面表面は、前記身体の外側表面に接触するように構成され、平面アンテナ要素を備えている、請求項１に記載の装置。
【請求項４】
前記平面アンテナ要素は、伝導性スパイラルを備えている、請求項３に記載の装置。
【請求項５】
各アンテナは、前記正面表面の背後の接地板を備え、前記接地板と前記正面表面との間に電磁バンドギャップ（ＥＢＧ）構造を有している、請求項３に記載の装置。
【請求項６】
前記アンテナと前記身体の外側表面との間に適用される誘電性ゲルを備えている、請求項３に記載の装置。
【請求項７】
各アンテナは、前記身体の外側表面に接触するように構成され、前記処理回路は、前記ＲＦ信号に加え、前記アンテナのうちの少なくとも１つによって、前記身体から受信される心電図信号を受信および処理するように構成されている、請求項１−６のいずれかに記載の装置。
【請求項８】
励起回路を備え、前記励起回路は、送信および受信アンテナとして役割を果たすための前記アンテナのうちの異なるものを選択し、選択された送信アンテナに複数の異なる周波数におけるＲＦ励起波形を印加するように結合される一方で、前記処理回路は、選択された受信アンテナから前記ＲＦ信号を受信し、前記送信アンテナ、前記受信アンテナ、および前記異なる周波数は、所定の時間的パターンに従って選択される、請求項１−６のいずれかに記載の装置。
【請求項９】
前記励起回路は、可変周波数を有する前記ＲＦ励起波形を発生させるように構成されているドライバ回路と、切替マトリクスとを備え、
前記切替マトリクスは、前記アンテナのセットを交替に選択するように構成され、各セットは、少なくとも１つの送信アンテナと少なくとも１つの受信アンテナとを備え、前記切替マトリクスは、各選択されたセットに対して、前記ドライバ回路を結合することにより、選択された周波数において前記少なくとも１つの送信アンテナを励起する一方で、前記処理回路を結合することにより、前記少なくとも１つの受信アンテナから前記ＲＦ信号を受信する、請求項８に記載の装置。
【請求項１０】
前記複数のアンテナは、少なくとも第１および第２のアンテナを備え、前記少なくとも第１および第２のアンテナは、前記胸部のそれぞれの対向する側に配置され、前記第２のアンテナは、前記第１のアンテナによって送信されたＲＦ電磁波を、前記ＲＦ電磁波が前記身体内の少なくとも１つの肺を通過した後に受信し、
プロセッサが、前記第２のアンテナによって出力された前記ＲＦ信号を処理し、前記少なくとも１つの肺内の流体蓄積量を査定するように構成されている、請求項１−６のいずれかに記載の装置。
【請求項１１】
少なくとも１つのペーシング電極を備え、前記処理回路は、前記心臓の運動の測定に応答して、前記心臓をペーシングするように、前記少なくとも１つのペーシング電極を駆動するように構成されている、請求項１−６のいずれかに記載の装置。
【請求項１２】
前記アンテナは、前記アンテナによって出力される前記ＲＦ信号が、超広帯域信号を生成するように、複数の異なる周波数にわたり前記ＲＦ電磁波を掃引するように構成されている、請求項１−６のいずれかに記載の装置。
【請求項１３】
前記処理回路は、心臓ストレスの前、間、および後の前記心臓の運動の測定を比較するように構成されている、請求項１−６のいずれかに記載の装置。
【請求項１４】
診断装置であって、
アンテナであって、生体の胸部上に配置され、無線周波数（ＲＦ）電磁波を、複数の異なる周波数にわたり前記波を掃引しながら前記身体内の心臓に向けて方向づけ、前記心臓から散乱される波に応答して、超広帯域ＲＦ信号を出力するように構成されているアンテナと、
処理回路と
を備え、
前記処理回路は、前記ＲＦ信号を経時的に処理し、前記心臓の運動の測定を提供するように構成されている、装置。
【請求項１５】
パッケージを備え、前記パッケージは、前記アンテナと前記処理回路とを含み、前記身体の外側表面へのパッチとして添着されるように構成されている、請求項１４に記載の装置。
【請求項１６】
前記パッケージと関連付けられた伝導性要素を備え、前記伝導性要素は、前記身体の外側表面から、心電図（ＥＣＧ）信号を受信するように構成されている、請求項１５に記載の装置。
【請求項１７】
遠隔コンソールと通信するための無線通信インターフェースを備えている、請求項１５または１６に記載の装置。
【請求項１８】
診断装置であって、
１つ以上のアンテナであって、生体の胸部上に配置され、無線周波数（ＲＦ）電磁波を身体内の肺を通して方向づけ、前記肺を通過した前記波に応答して、ＲＦ信号を出力するように構成されている１つ以上のアンテナと、
処理回路と
を備え、
前記処理回路は、前記ＲＦ信号を経時的に処理し、前記ＲＦ電磁波のＲＦ経路特性を測定し、前記経路特性に基づいて、前記肺の流体含有量を査定するように構成されている、
装置。
【請求項１９】
前記処理回路は、前記肺の１回以上の呼吸サイクルにわたり前記経路特性の変化を測定し、前記変化に応答して、前記流体含有量を査定するように構成されている、請求項１８に記載の装置。
【請求項２０】
前記経路特性は、前記身体を通る前記ＲＦ電磁波の有効ＲＦ経路長を含む、請求項１８に記載の装置。
【請求項２１】
前記処理回路は、前記胸部を通る前記ＲＦ電磁波によって横断される物理的距離の測定を受信し、前記有効ＲＦ経路長を前記物理的距離と比較することにより、前記流体の蓄積量を査定するように構成されている、請求項２０に記載の装置。
【請求項２２】
前記１つ以上のアンテナは、前記ＲＦ電磁波を前記肺を通して送信する前記胸部の第１の側の第１の場所における送信アンテナと、前記肺を通過した波を受信する前記第１の側と反対の前記胸部の第２の側の第２の場所における受信アンテナとを備え、前記物理的距離は、前記第１の場所と前記第２の場所との間で測定される、請求項２１に記載の装置。
【請求項２３】
前記１つ以上のアンテナは、前記ＲＦ電磁波を、前記身体内の心臓に向けて前記肺を通して方向づけ、前記心臓から反射された前記ＲＦ電磁波に応答して、前記ＲＦ信号を出力するように構成されている少なくとも１つのアンテナを備えている、請求項２１に記載の装置。
【請求項２４】
前記少なくとも１つのアンテナに隣接した超音波変換器を備え、前記超音波変換器は、超音波を前記心臓に向けて方向づけ、前記心臓から反射された前記超音波を受信することにより、前記物理的距離の測定を提供するように構成されている、請求項２３に記載の装置。
【請求項２５】
前記経路特性は、前記ＲＦ信号の振幅を含む、請求項１８−２４のいずれかに記載の装置。
【請求項２６】
診断装置であって、
生体の外側表面と接触するように構成されている正面表面を有するアンテナユニットであって、
無線周波数（ＲＦ）電磁波を前記正面表面から前記身体中に方向づけ、前記身体内から散乱される波に応答して、ＲＦ信号を出力するように構成されている平面アンテナ要素と、
前記身体の外側表面から、心電図（ＥＣＧ）信号を受信するように構成されている伝導性要素と
を備えているアンテナユニットと、
前記アンテナユニットに接続され、前記平面アンテナ要素および前記伝導性要素と通信するケーブルと、
前記ケーブルに接続され、前記ＲＦおよびＥＣＧ信号を受信し、処理する処理回路と
を備えている、
装置。
【請求項２７】
前記平面アンテナ要素は、伝導性スパイラルを備えている、請求項２６に記載の装置。
【請求項２８】
前記アンテナユニットは、前記正面表面の背後の接地板と、前記接地板と前記正面表面との間の電磁バンドギャップ（ＥＢＧ）構造とを備えている、請求項２６に記載の装置。
【請求項２９】
前記ＥＣＧ信号から前記ＲＦ信号を分離するために、前記ケーブルと前記処理回路との間に結合されているダイプレクサを備えている、請求項２６に記載の装置。
【請求項３０】
前記正面表面と前記身体の外側表面との間に拡散されるように構成されているゲルを備えている、請求項２６−２９のいずれかに記載の装置。
【請求項３１】
前記アンテナユニットは、前記身体に取り付けるための接着性パッチを備えている、請求項２６−２９のいずれかに記載の装置。
【請求項３２】
前記アンテナユニットは、衣類の一部として、前記身体に装着されるように構成されている、請求項２６−２９のいずれかに記載の装置。
【請求項３３】
前記アンテナユニットは、金属および電解質でコーティングされている、請求項２６−２９のいずれかに記載の装置。
【請求項３４】
診断装置であって、
生体の外側表面と接触するように構成されている正面表面を有するアンテナユニットであって、
前記正面表面上に形成され、無線周波数（ＲＦ）電磁波を、前記身体中に方向づけ、前記身体内から散乱される前記波に応答して、ＲＦ信号を出力するように構成されている平面アンテナ要素と、
前記正面表面の背後の接地板と、
前記接地板と前記正面表面との間の電磁バンドギャップ（ＥＢＧ）構造と
を備えているアンテナユニットと、
前記アンテナユニットに結合され、前記ＲＦ信号を受信し、処理する処理回路と
を備えている、
装置。
【請求項３５】
前記平面アンテナ要素は、伝導性スパイラルを備えている、請求項３４に記載の装置。
【請求項３６】
治療装置であって、
ペーシング信号を生体内の心臓に印加するように構成されている少なくとも１つのペーシング電極と、
前記身体の胸部上に配置され、無線周波数（ＲＦ）電磁波を、前記心臓に向けて方向づけ、前記心臓から散乱される前記波に応答して、ＲＦ信号を出力するように構成されている１つ以上のアンテナと、
前記ＲＦ信号を経時的に処理し、前記心臓の運動を測定し、前記測定された運動に応答して、前記少なくとも１つのペーシング電極を駆動することにより、前記心臓をペーシングするように構成されている処理回路と
を備えている、
装置。
【手続補正２】
【補正対象書類名】明細書
【補正対象項目名】０００８
【補正方法】変更
【補正の内容】
【０００８】
本発明は、例えば、以下を提供する：
（項目１）
診断装置であって、
複数のアンテナであって、生体の胸部上の異なるそれぞれの場所に配置され、無線周波数（ＲＦ）電磁波を、異なるそれぞれの方向から身体内の心臓に向けて方向づけ、前記心臓から散乱される波に応答して、ＲＦ信号を出力するように構成されている複数のアンテナと、
処理回路と
を備え、
前記処理回路は、前記ＲＦ信号を経時的に処理し、前記心臓の運動の多次元測定を提供するように構成されている、装置。
（項目２）
前記複数のアンテナは、少なくとも３つのアンテナを備え、前記それぞれの場所は、少なくとも部分的に、前記胸部を囲むように選択される、項目１に記載の装置。
（項目３）
各アンテナは、正面表面を有し、前記正面表面は、前記身体の外側表面に接触するように構成され、平面アンテナ要素を備えている、項目１に記載の装置。
（項目４）
前記平面アンテナ要素は、伝導性スパイラルを備えている、項目３に記載の装置。
（項目５）
各アンテナは、前記正面表面の背後の接地板を備え、前記接地板と前記正面表面との間に電磁バンドギャップ（ＥＢＧ）構造を有している、項目３に記載の装置。
（項目６）
前記アンテナと前記身体の外側表面との間に適用される誘電性ゲルを備えている、項目３に記載の装置。
（項目７）
各アンテナは、前記身体の外側表面に接触するように構成され、前記処理回路は、前記ＲＦ信号に加え、前記アンテナのうちの少なくとも１つによって、前記身体から受信される心電図信号を受信および処理するように構成されている、項目１−６のいずれかに記載の装置。
（項目８）
励起回路を備え、前記励起回路は、送信および受信アンテナとして役割を果たすための前記アンテナのうちの異なるものを選択し、選択された送信アンテナに複数の異なる周波数におけるＲＦ励起波形を印加するように結合される一方で、前記処理回路は、選択された受信アンテナから前記ＲＦ信号を受信し、前記送信アンテナ、前記受信アンテナ、および前記異なる周波数は、所定の時間的パターンに従って選択される、項目１−６のいずれかに記載の装置。
（項目９）
前記励起回路は、可変周波数を有する前記ＲＦ励起波形を発生させるように構成されているドライバ回路と、切替マトリクスとを備え、
前記切替マトリクスは、前記アンテナのセットを交替に選択するように構成され、各セットは、少なくとも１つの送信アンテナと少なくとも１つの受信アンテナとを備え、前記切替マトリクスは、各選択されたセットに対して、前記ドライバ回路を結合することにより、選択された周波数において前記少なくとも１つの送信アンテナを励起する一方で、前記処理回路を結合することにより、前記少なくとも１つの受信アンテナから前記ＲＦ信号を受信する、項目８に記載の装置。
（項目１０）
前記複数のアンテナは、少なくとも第１および第２のアンテナを備え、前記少なくとも第１および第２のアンテナは、前記胸部のそれぞれの対向する側に配置され、前記第２のアンテナは、前記第１のアンテナによって送信されたＲＦ電磁波を、前記ＲＦ電磁波が前記身体内の少なくとも１つの肺を通過した後に受信し、
プロセッサが、前記第２のアンテナによって出力された前記ＲＦ信号を処理し、前記少なくとも１つの肺内の流体蓄積量を査定するように構成されている、項目１−６のいずれかに記載の装置。
（項目１１）
少なくとも１つのペーシング電極を備え、前記処理回路は、前記心臓の運動の測定に応答して、前記心臓をペーシングするように、前記少なくとも１つのペーシング電極を駆動するように構成されている、項目１−６のいずれかに記載の装置。
（項目１２）
前記アンテナは、前記アンテナによって出力される前記ＲＦ信号が、超広帯域信号を生成するように、複数の異なる周波数にわたり前記ＲＦ電磁波を掃引するように構成されている、項目１−６のいずれかに記載の装置。
（項目１３）
前記処理回路は、心臓ストレスの前、間、および後の前記心臓の運動の測定を比較するように構成されている、項目１−６のいずれかに記載の装置。
（項目１４）
診断装置であって、
アンテナであって、生体の胸部上に配置され、無線周波数（ＲＦ）電磁波を、複数の異なる周波数にわたり前記波を掃引しながら前記身体内の心臓に向けて方向づけ、前記心臓から散乱される波に応答して、超広帯域ＲＦ信号を出力するように構成されているアンテナと、
処理回路と
を備え、
前記処理回路は、前記ＲＦ信号を経時的に処理し、前記心臓の運動の測定を提供するように構成されている、装置。
（項目１５）
パッケージを備え、前記パッケージは、前記アンテナと前記処理回路とを含み、前記身体の外側表面へのパッチとして添着されるように構成されている、項目１４に記載の装置。
（項目１６）
前記パッケージと関連付けられた伝導性要素を備え、前記伝導性要素は、前記身体の外側表面から、心電図（ＥＣＧ）信号を受信するように構成されている、項目１５に記載の装置。
（項目１７）
遠隔コンソールと通信するための無線通信インターフェースを備えている、項目１５または１６に記載の装置。
（項目１８）
診断装置であって、
１つ以上のアンテナであって、生体の胸部上に配置され、無線周波数（ＲＦ）電磁波を身体内の肺を通して方向づけ、前記肺を通過した前記波に応答して、ＲＦ信号を出力するように構成されている１つ以上のアンテナと、
処理回路と
を備え、
前記処理回路は、前記ＲＦ信号を経時的に処理し、前記ＲＦ電磁波のＲＦ経路特性を測定し、前記経路特性に基づいて、前記肺の流体含有量を査定するように構成されている、
装置。
（項目１９）
前記処理回路は、前記肺の１回以上の呼吸サイクルにわたり前記経路特性の変化を測定し、前記変化に応答して、前記流体含有量を査定するように構成されている、項目１８に記載の装置。
（項目２０）
前記経路特性は、前記身体を通る前記ＲＦ電磁波の有効ＲＦ経路長を含む、項目１８に記載の装置。
（項目２１）
前記処理回路は、前記胸部を通る前記ＲＦ電磁波によって横断される物理的距離の測定を受信し、前記有効ＲＦ経路長を前記物理的距離と比較することにより、前記流体の蓄積量を査定するように構成されている、項目２０に記載の装置。
（項目２２）
前記１つ以上のアンテナは、前記ＲＦ電磁波を前記肺を通して送信する前記胸部の第１の側の第１の場所における送信アンテナと、前記肺を通過した波を受信する前記第１の側と反対の前記胸部の第２の側の第２の場所における受信アンテナとを備え、前記物理的距離は、前記第１の場所と前記第２の場所との間で測定される、項目２１に記載の装置。
（項目２３）
前記１つ以上のアンテナは、前記ＲＦ電磁波を、前記身体内の心臓に向けて前記肺を通して方向づけ、前記心臓から反射された前記ＲＦ電磁波に応答して、前記ＲＦ信号を出力するように構成されている少なくとも１つのアンテナを備えている、項目２１に記載の装置。
（項目２４）
前記少なくとも１つのアンテナに隣接した超音波変換器を備え、前記超音波変換器は、超音波を前記心臓に向けて方向づけ、前記心臓から反射された前記超音波を受信することにより、前記物理的距離の測定を提供するように構成されている、項目２３に記載の装置。
（項目２５）
前記経路特性は、前記ＲＦ信号の振幅を含む、項目１８−２４のいずれかに記載の装置。
（項目２６）
診断装置であって、
生体の外側表面と接触するように構成されている正面表面を有するアンテナユニットであって、
無線周波数（ＲＦ）電磁波を前記正面表面から前記身体中に方向づけ、前記身体内から散乱される波に応答して、ＲＦ信号を出力するように構成されている平面アンテナ要素と、
前記身体の外側表面から、心電図（ＥＣＧ）信号を受信するように構成されている伝導性要素と
を備えているアンテナユニットと、
前記アンテナユニットに接続され、前記平面アンテナ要素および前記伝導性要素と通信するケーブルと、
前記ケーブルに接続され、前記ＲＦおよびＥＣＧ信号を受信し、処理する処理回路と
を備えている、
装置。
（項目２７）
前記平面アンテナ要素は、伝導性スパイラルを備えている、項目２６に記載の装置。
（項目２８）
前記アンテナユニットは、前記正面表面の背後の接地板と、前記接地板と前記正面表面との間の電磁バンドギャップ（ＥＢＧ）構造とを備えている、項目２６に記載の装置。
（項目２９）
前記ＥＣＧ信号から前記ＲＦ信号を分離するために、前記ケーブルと前記処理回路との間に結合されているダイプレクサを備えている、項目２６に記載の装置。
（項目３０）
前記正面表面と前記身体の外側表面との間に拡散されるように構成されているゲルを備えている、項目２６−２９のいずれかに記載の装置。
（項目３１）
前記アンテナユニットは、前記身体に取り付けるための接着性パッチを備えている、項目２６−２９のいずれかに記載の装置。
（項目３２）
前記アンテナユニットは、衣類の一部として、前記身体に装着されるように構成されている、項目２６−２９のいずれかに記載の装置。
（項目３３）
前記アンテナユニットは、金属および電解質でコーティングされている、項目２６−２９のいずれかに記載の装置。
（項目３４）
診断装置であって、
生体の外側表面と接触するように構成されている正面表面を有するアンテナユニットであって、
前記正面表面上に形成され、無線周波数（ＲＦ）電磁波を、前記身体中に方向づけ、前記身体内から散乱される前記波に応答して、ＲＦ信号を出力するように構成されている平面アンテナ要素と、
前記正面表面の背後の接地板と、
前記接地板と前記正面表面との間の電磁バンドギャップ（ＥＢＧ）構造と
を備えているアンテナユニットと、
前記アンテナユニットに結合され、前記ＲＦ信号を受信し、処理する処理回路と
を備えている、
装置。
（項目３５）
前記平面アンテナ要素は、伝導性スパイラルを備えている、項目３４に記載の装置。
（項目３６）
治療装置であって、
ペーシング信号を生体内の心臓に印加するように構成されている少なくとも１つのペーシング電極と、
前記身体の胸部上に配置され、無線周波数（ＲＦ）電磁波を、前記心臓に向けて方向づけ、前記心臓から散乱される前記波に応答して、ＲＦ信号を出力するように構成されている１つ以上のアンテナと、
前記ＲＦ信号を経時的に処理し、前記心臓の運動を測定し、前記測定された運動に応答して、前記少なくとも１つのペーシング電極を駆動することにより、前記心臓をペーシングするように構成されている処理回路と
を備えている、
装置。
（項目３７）
診断の方法であって、
無線周波数（ＲＦ）電磁波を、生体の胸部上の異なるそれぞれの場所に配置されている複数のアンテナから、異なるそれぞれの方向から、前記身体内の心臓に向けて方向づけ、前記心臓から散乱される前記波に応答して、ＲＦ信号を出力することと、
前記ＲＦ信号を経時的に処理し、前記心臓の運動の多次元測定を提供することと
を含む、方法。
（項目３８）
前記複数のアンテナは、少なくとも３つのアンテナを備え、前記それぞれの場所は、少なくとも部分的に前記胸部を囲むように選択される、項目３７に記載の方法。
（項目３９）
各アンテナは、正面表面を有し、前記正面表面は、前記身体の外側表面に接触するように構成され、平面アンテナ要素を備えている、項目３７に記載の方法。
（項目４０）
前記平面アンテナ要素は、伝導性スパイラルを備えている、項目３９に記載の方法。
（項目４１）
各アンテナは、前記正面表面の背後の接地板を備え、前記接地板と前記正面表面との間に電磁バンドギャップ（ＥＢＧ）構造を有している、項目３９に記載の方法。
（項目４２）
前記アンテナのうちの少なくとも１つから、前記ＲＦ信号に加え、前記身体からの心電図信号を受信することを含む、項目３９に記載の方法。
（項目４３）
前記ＲＦ電磁波を方向づけることは、送信および受信アンテナとしての役割を果たすための前記アンテナのうちの異なるものを選択することと、複数の異なる周波数におけるＲＦ励起波形を選択された送信アンテナに印加する一方で、選択された受信アンテナから受信した前記ＲＦ信号を処理することとを含み、前記送信アンテナ、前記受信アンテナ、および前記異なる周波数は、所定の時間的パターン従って選択される、項目３７−４２のいずれかに記載の方法。
（項目４４）
前記複数のアンテナは、少なくとも第１および第２のアンテナを備え、前記少なくとも第１および第２のアンテナは、前記胸部のそれぞれの対向する側に配置され、前記第２のアンテナは、前記第１のアンテナによって送信された前記ＲＦ電磁波を、前記ＲＦ電磁波が前記身体内の少なくとも１つの肺を通過した後に受信し、
前記ＲＦ信号を処理することは、前記第２のアンテナによって出力される前記ＲＦ信号を処理し、前記少なくとも１つの肺内の流体蓄積量を査定することを含む、項目３７−４２のいずれかに記載の方法。
（項目４５）
前記心臓の運動の測定に応答して、前記心臓をペーシングすることを含む、項目３７−４２のいずれかに記載の方法。
（項目４６）
前記ＲＦ信号を経時的に処理することは、ストレスの前、間、および後に、前記心臓の運動を測定することを含む、項目３７−４２のいずれかに記載の方法。
（項目４７）
診断の方法であって、
生体の胸部に配置されているアンテナから、無線周波数（ＲＦ）電磁波を、複数の異なる周波数にわたり前記波を掃引しながら前記身体内の心臓に向けて方向づけ、前記心臓から散乱される波に応答して、超広帯域ＲＦ信号を出力することと、
前記ＲＦ信号を経時的に処理し、前記心臓の運動の測定を提供することと
を含む、方法。
（項目４８）
診断の方法であって、
無線周波数（ＲＦ）電磁波を、前記波が前記身体内の肺を通過するように、生体の胸部上に配置されている１つ以上のアンテナから方向づけ、前記肺を通過した前記波に応答して、ＲＦ信号を出力することと、
前記ＲＦ電磁波のＲＦ経路特性を測定し、前記経路特性に基づいて、前記肺の流体含有量を査定するために、前記ＲＦ信号を経時的に処理することと
を含む、方法。
（項目４９）
前記ＲＦ信号を処理することは、前記肺の１回以上の呼吸サイクルにわたり前記経路特性の変化を測定し、前記変化に応答して、前記流体含有量を査定することを含む、項目４８に記載の方法。
（項目５０）
前記経路特性は、前記身体を通る前記ＲＦ電磁波の有効ＲＦ経路長を含む、項目４８または４９に記載の方法。
（項目５１）
前記胸部を通る前記ＲＦ電磁波によって横断される物理的距離を測定し、前記有効ＲＦ経路長を前記物理的距離と比較することにより、前記流体の蓄積量を査定することを含む、項目５０に記載の方法。
（項目５２）
前記１つ以上のアンテナは、前記ＲＦ電磁波を前記肺を通して送信する前記胸部の第１の側の第１の場所における送信アンテナと、前記肺を通過した前記波を受信する前記第１の側と反対の前記胸部の第２の側の第２の場所における受信アンテナとを備え、前記物理的距離は、前記第１の場所と前記第２の場所との間で測定される、項目５１に記載の方法。
（項目５３）
前記１つ以上のアンテナは、前記ＲＦ電磁波を、前記身体内の心臓に向けて前記肺を通して方向づけ、前記心臓から反射された前記ＲＦ電磁波に応答して、前記ＲＦ信号を出力するように構成されている少なくとも１つのアンテナを備えている、項目５１に記載の方法。
（項目５４）
前記少なくとも１つのアンテナに隣接する場所において、超音波を前記心臓に向けて方向づけ、前記心臓から反射された超音波を受信することにより、前記物理的距離の測定を提供することを含む、項目５３に記載の方法。
（項目５５）
診断の方法であって、
アンテナユニットの正面表面を生体の外側表面に接触させることであって、
前記アンテナユニットは、
平面アンテナ要素と、
前記身体の外側表面から、心電図（ＥＣＧ）信号を受信するように構成されている伝導性要素と
を備えている、ことと、
前記平面アンテナ要素を駆動し、無線周波数（ＲＦ）電磁波を、前記正面表面から前記身体中に方向づけ、前記身体内から散乱される波に応答して、ＲＦ信号を出力することと、
前記アンテナユニットから、前記ＲＦおよび前記ＥＣＧ信号の両方を受信し、処理することと
を含む、方法。
（項目５６）
前記平面アンテナ要素は、伝導性スパイラルを備えている、項目５５に記載の方法。
（項目５７）
前記アンテナユニットは、前記正面表面の背後の接地板と、前記接地板と前記正面表面との間の電磁バンドギャップ（ＥＢＧ）構造とを備えている、項目５５に記載の方法。
（項目５８）
前記正面表面と前記身体の外側表面との間にゲルを拡散させることを含む、項目５５−５７のいずれかに記載の方法。
（項目５９）
治療方法であって、
無線周波数（ＲＦ）電磁波を、前記身体の胸部上に配置されている１つ以上のアンテナから生体内の心臓に向けて方向づけ、前記心臓から散乱される前記波に応答して、ＲＦ信号を出力することと、
前記ＲＦ信号を経時的に処理し、前記心臓の運動を測定することと、
前記測定された運動に応答して、前記心臓をペーシングすることと
を含む、方法。
本明細書に後述される本発明の実施形態は、身体を通るＲＦ波の伝送および検出によって、心臓血管機能の査定のための方法およびデバイスを提供する。